(57)【要約】【課題】バッテリと他の機器を接続してバッテリに関する情報を取り扱う場合において、その情報の管理ややり取りを全体として効率良く行えるようにする点にある。【解決手段】バッテリ１の端子に接続されてそのバッテリ１に関する情報を記憶する記憶部が備えられたバッテリ情報記憶装置２において、前記バッテリの端子に接続されている通信対象機器からの配線に、通信情報を含む信号を重畳して前記通信対象機器と通信するバッテリ側通信部が備えられ、前記記憶部に記憶している情報又は前記記憶部に記憶させるための情報を前記通信対象機器との間でやり取りするように構成されている。又、バッテリ診断装置３、バッテリ充電装置４あるいはバッテリ情報表示装置５がバッテリ情報記憶装置２に記憶されているバッテリ１に関する情報を前記バッテリ側通信部を経て授受する。【選択図】図１
2011075458.tif 000002
【特許請求の範囲】
【請求項１】
バッテリの端子に接続されてそのバッテリに関する情報を記憶する記憶部が備えられたバッテリ情報記憶装置であって、
前記バッテリの端子に接続されている通信対象機器からの配線に、通信情報を含む信号を重畳して前記通信対象機器と通信するバッテリ側通信部が備えられ、
前記記憶部に記憶している情報又は前記記憶部に記憶させるための情報を前記通信対象機器との間でやり取りするように構成されているバッテリ情報記憶装置。
【請求項２】
前記バッテリの端子電圧を少なくとも測定する測定部と、前記測定部の測定情報に基づいて前記バッテリの診断処理を実行するバッテリ側診断部とが備えられている請求項１記載のバッテリ情報記憶装置。
【請求項３】
請求項１又は２記載のバッテリ情報記憶装置を備えたバッテリの端子に接続した配線に、通信情報を含む信号を重畳して前記バッテリ側通信部と通信する診断装置側通信部と、
前記診断装置側通信部を経て前記バッテリ情報記憶装置から受け取った前記バッテリに関する情報に基づいて前記バッテリに対する診断条件を決定し、その診断条件で前記バッテリの通電状態を設定したときの前記バッテリの応答に基づいて前記バッテリの診断を行う診断処理部とが備えられて構成されているバッテリ診断装置。
【請求項４】
前記診断処理部は、診断結果を前記診断装置側通信部を経て前記バッテリ情報記憶装置へ送信するように構成されている請求項３記載のバッテリ診断装置。
【請求項５】
請求項１又は２記載のバッテリ情報記憶装置を備えたバッテリの端子に接続した配線に、通信情報を含む信号を重畳して前記バッテリ側通信部と通信する充電装置側通信部と、
前記充電装置側通信部を経て前記バッテリ情報記憶装置から受け取った前記バッテリに関する情報に基づいて前記バッテリに対する充電条件を決定し、その充電条件で前記バッテリの充電を行う充電部とが備えられて構成されているバッテリ充電装置。
【請求項６】
前記充電部は、前記バッテリへの充電電圧の推移から前記バッテリの特性を算出し、その算出結果を前記充電装置側通信部を経て前記バッテリ情報記憶装置へ送信するように構成されている請求項５記載のバッテリ充電装置。
【請求項７】
請求項１又は２記載のバッテリ情報記憶装置を備えたバッテリの端子に接続した配線に、通信情報を含む信号を重畳して前記バッテリ側通信部と通信する表示装置側通信部と、
前記バッテリ情報記憶装置の前記記憶部に記憶されている請求項４記載のバッテリ診断装置から受け取った前記診断結果又は請求項６記載のバッテリ充電装置から受け取った前記算出結果を、前記表示装置側通信部を経て受取り、その受け取った情報を表示する表示部が備えられたバッテリ情報表示装置。
【発明の詳細な説明】
【技術分野】
【０００１】
本発明は、バッテリの端子に接続されてそのバッテリに関する情報を記憶する記憶部が備えられたバッテリ情報記憶装置、並びに、そのバッテリ情報記憶装置とバッテリに関する情報を授受するバッテリ診断装置、バッテリ充電装置及びバッテリ情報表示装置に関する。
【背景技術】
【０００２】
かかる装置は、バッテリの状態の診断、バッテリの充電あるいはバッテリの状態の報知を行うための装置である。
バッテリの状態を診断する技術としては、例えば下記特許文献１に記載のような、車両に搭載されるバッテリに対して専用の診断装置が備えられる場合が多い。
バッテリの状態の診断については、バッテリの種類が異なる場合等、診断対象のバッテリ側の事情が異なると最適な診断条件も異なるものとなるが、下記特許文献１に記載のような構成では、診断装置の診断対象となるバッテリの種類が固定的に設定されることになるので、バッテリ側の事情に応じて診断条件を変化させるというような考え方はなかった。
【０００３】
このような構成では汎用性に欠けるため、例えば１つの診断装置で複数種のバッテリを診断できるようにする等、診断条件を複数に設定できることが必要とされる場合も多い。たとえば、下記特許文献２の［００１２］に記載されているように、オペレータが診断条件を個々に入力する場合がその例である。
このような場合は、バッテリの種類等の診断条件の決定のための情報を入力操作できるようにして、バッテリに貼着されたラベル等から確認して入力されたバッテリの種類等の情報から診断条件を決定するという操作が行われることになる。
又、バッテリの充電に関しては、バッテリ側の劣化状態に拘わらず、単一の充電方法にて充電するのが一般的である。
【先行技術文献】
【特許文献】
【０００４】
【特許文献１】特開２００５−２９２０３５号公報
【特許文献２】特開２００４−１９１３７３号公報
【発明の概要】
【発明が解決しようとする課題】
【０００５】
バッテリの診断に関しては、上述のように、バッテリの診断条件の決定のための情報をバッテリに貼着されたラベル等から確認して入力操作することが必要となるので、操作が煩雑になると共に、場合によってはラベル等が汚損して、必要な情報の確認ができない場合もあり得る。
又、バッテリの充電に関しては、バッテリの状態に応じた適切な充電を行えないために、バッテリの寿命を短くしてしまうような場合もあった。
これらは何れも、バッテリとそのバッテリに接続される機器間で、バッテリに関する情報の管理とその情報のやり取りが非効率であることに起因する問題である。
本発明は、かかる実情に鑑みてなされたものであって、その目的は、バッテリと他の機器を接続してバッテリに関する情報を取り扱う場合において、その情報の管理ややり取りを全体として効率良く行えるようにする点にある。
【課題を解決するための手段】
【０００６】
本出願の第１の発明は、バッテリの端子に接続されてそのバッテリに関する情報を記憶する記憶部が備えられたバッテリ情報記憶装置であって、前記バッテリの端子に接続されている通信対象機器からの配線に、通信情報を含む信号を重畳して前記通信対象機器と通信するバッテリ側通信部が備えられ、前記記憶部に記憶している情報又は前記記憶部に記憶させるための情報を前記通信対象機器との間でやり取りするように構成されている。
【０００７】
すなわち、例えばバッテリの状態等のバッテリに関する情報は、バッテリにバッテリ情報記憶装置を接続して、それの記憶部に記憶させるものとし、その記憶部に記憶している情報あるいは記憶部に記憶させるための情報は、通信にて他の機器とやり取りをする。
これによって、他の機器側ではバッテリに関する情報を常時保持しておく必要はなく、必要に応じてバッテリと共に使用されているバッテリ情報記憶装置から入手すれば良いので、より汎用性の高いものとなる。
【０００８】
但し、その通信のために通信専用の配線を準備して、作業の都度にその通信専用の配線をバッテリ情報記憶装置に接続するのでは、作業効率を低下させてしまう。
そこで、バッテリの端子に接続される配線を利用して、他の機器（通信対象機器）との通信を行う。
例えばバッテリの診断装置や充電器等の機器は、その機器の本来の使用目的のために、バッテリの端子に配線を接続するのは必須の作業であり、そのための配線をバッテリに関する情報の授受のための通信線としても利用するのである。
これによって、通信専用の配線を設けることも、その配線を接続する作業も不要となる。
【０００９】
又、本出願の第２の発明は、上記第１の発明の構成に加えて、前記バッテリの端子電圧を少なくとも測定する測定部と、前記測定部の測定情報に基づいて前記バッテリの診断処理を実行するバッテリ側診断部とが備えられている。
すなわち、バッテリの端子に接続されるバッテリ情報記憶装置に、バッテリの状態を検出するための測定手段のみならず、その測定手段の測定結果からバッテリの状態を診断する機能をも併せて備えさせている。
これによって、バッテリの診断装置を接続しないでも、ある程度のバッテリの診断が可能となる。
【００１０】
又、本出願の第３の発明は、上記第１の発明又は上記第２の発明のバッテリ情報記憶装置を備えたバッテリの端子に接続した配線に、通信情報を含む信号を重畳して前記バッテリ側通信部と通信する診断装置側通信部と、前記診断装置側通信部を経て前記バッテリ情報記憶装置から受け取った前記バッテリに関する情報に基づいて前記バッテリに対する診断条件を決定し、その診断条件で前記バッテリの通電状態を設定したときの前記バッテリの応答に基づいて前記バッテリの診断を行う診断処理部とが備えられてバッテリ診断装置が構成されている。
【００１１】
すなわち、バッテリ診断装置は、診断対象のバッテリに関する情報を入手して、その入手した情報に基づいて設定した診断条件でバッテリの通電状態を設定して、その際のバッテリの応答からバッテリの状態の診断を行う。
ここで、バッテリに関する情報は、バッテリに備えたバッテリ情報記憶装置に記憶保持されており、バッテリ診断装置とバッテリ情報記憶装置との間のバッテリに関する情報の授受は、バッテリの診断のためにバッテリの端子に接続した配線を利用して行われる。
【００１２】
又、本出願の第４の発明は、上記第３の発明の構成に加えて、前記診断処理部は、診断結果を前記診断装置側通信部を経て前記バッテリ情報記憶装置へ送信するように構成されている。
すなわち、バッテリ診断装置は、バッテリに関する情報をバッテリ情報記憶装置から入手してバッテリの診断を行うだけでなく、その診断結果をバッテリ情報記憶装置へ送って記憶させるのである。
これによって、バッテリ診断装置側ではバッテリの診断結果を記憶保持しなくても、その診断結果を別の機会に活用することが可能となる。
【００１３】
又、本出願の第５の発明は、上記第１の発明又は上記第２の発明のバッテリ情報記憶装置を備えたバッテリの端子に接続した配線に、通信情報を含む信号を重畳して前記バッテリ側通信部と通信する充電装置側通信部と、前記充電装置側通信部を経て前記バッテリ情報記憶装置から受け取った前記バッテリに関する情報に基づいて前記バッテリに対する充電条件を決定し、その充電条件で前記バッテリの充電を行う充電部とが備えられてバッテリ充電装置が構成されている。
【００１４】
すなわち、バッテリ充電装置は、充電対象のバッテリに関する情報を入手して、その入手した情報に基づいて設定した充電条件でバッテリの充電を行う。
ここで、バッテリに関する情報は、バッテリに備えたバッテリ情報記憶装置に記憶保持されており、バッテリ充電装置とバッテリ情報記憶装置との間のバッテリに関する情報の授受は、バッテリの充電のためにバッテリの端子に接続した配線を利用して行われる。
【００１５】
又、本出願の第６の発明は、上記第５の発明の構成に加えて、前記充電部は、前記バッテリへの充電電圧の推移から前記バッテリの特性を算出し、その算出結果を前記充電装置側通信部を経て前記バッテリ情報記憶装置へ送信するように構成されている。
すなわち、バッテリ充電装置は、バッテリに関する情報をバッテリ情報記憶装置から入手してバッテリの充電を行うだけでなく、その充電過程で得られたバッテリの特性に関する情報をバッテリ情報記憶装置へ送って記憶させるのである。
これによって、バッテリ充電装置側では充電時に得られたバッテリに関する情報（たとえばバッテリの推定容量）を記憶保持しなくても、バッテリ情報記憶装置から適宜に取り出すことで別の機会に活用することが可能となる。
【００１６】
又、本出願の第７の発明は、上記第１の発明又は上記第２の発明のバッテリ情報記憶装置を備えたバッテリの端子に接続した配線に、通信情報を含む信号を重畳して前記バッテリ側通信部と通信する表示装置側通信部と、前記バッテリ情報記憶装置の前記記憶部に記憶されている上記第４の発明のバッテリ診断装置から受け取った前記診断結果又は上記第６の発明のバッテリ充電装置から受け取った前記算出結果を、前記表示装置側通信部を経て受取り、その受け取った情報を表示する表示部が備えられてバッテリ情報表示装置が構成されている。
【００１７】
すなわち、バッテリに備えたバッテリ情報記憶装置からバッテリに関する情報を取得してバッテリ診断装置がバッテリの診断をした診断結果、あるいは、バッテリに備えたバッテリ情報記憶装置からバッテリに関する情報を取得してバッテリ充電装置がバッテリの充電をして、その結果得たバッテリの特性の算出結果はバッテリ情報記憶装置へ送られて記憶保持されており、表示部がバッテリ情報記憶装置からそのような情報を読み出して表示する。
この際におけるバッテリ情報記憶装置とバッテリ情報表示装置等との間の通信は、バッテリの端子に接続されている配線を経て行われ、通信のための格別の配線を必要としない。
【発明の効果】
【００１８】
上記第１の発明によれば、バッテリと直接又は間接に接続して使用される他の機器（通信対象機器）ではバッテリに関する情報を常時保持しておく必要はなく、必要に応じてバッテリに備えたバッテリ情報記憶装置から入手すれば良いので、より汎用性の高いものとなる。
しかも、バッテリの端子に接続される配線を利用して他の機器（通信対象機器）との通信を行うので、通信専用の配線を設けることも、その配線を接続する作業も不要となる。
もって、バッテリと他の機器を接続してバッテリに関する情報を取り扱う場合において、その情報の管理ややり取りを全体として効率良く行えるものとなった。
又、上記第２の発明によれば、バッテリの診断装置を接続しないでも、ある程度のバッテリの診断が可能となり、バッテリ情報記憶装置の機能を向上させることができる。
【００１９】
又、上記第３の発明によれば、バッテリに接続して使用されるバッテリ診断装置（前記通信対象機器に相当）ではバッテリに関する情報を常時保持しておく必要はなく、必要に応じてバッテリに備えたバッテリ情報記憶装置から入手すれば良いので、より汎用性の高いものとなる。
しかも、バッテリの端子に接続される配線を利用してバッテリ情報記憶装置との通信を行うので、通信専用の配線を設けることも、その配線を接続する作業も不要となる。
もって、バッテリとバッテリ診断装置とを接続してバッテリに関する情報を取り扱う場合において、その情報の管理ややり取りを全体として効率良く行えるものとなった。
又、上記第４の発明によれば、バッテリ診断装置側ではバッテリの診断結果を記憶保持しなくても、その診断結果を別の機会に活用することが可能となり、装置構成の複雑化を回避しながら、バッテリの診断結果の有効利用が可能となる。
【００２０】
又、上記第５の発明によれば、バッテリに接続して使用されるバッテリ充電装置（前記通信対象機器に相当）ではバッテリに関する情報を常時保持しておく必要はなく、必要に応じてバッテリに備えたバッテリ情報記憶装置から入手すれば良いので、より汎用性の高いものとなる。
しかも、バッテリの端子に接続される配線を利用してバッテリ情報記憶装置との通信を行うので、通信専用の配線を設けることも、その配線を接続する作業も不要となる。
もって、バッテリとバッテリ充電装置とを接続してバッテリに関する情報を取り扱う場合において、その情報の管理ややり取りを全体として効率良く行えるものとなった。
又、上記第６の発明によれば、バッテリ充電装置側ではバッテリの特性の算出結果を記憶保持しなくても、その特性の算出結果を別の機会に活用することが可能となり、装置構成の複雑化を回避しながら、バッテリの充電時に得た情報の有効利用が可能となる。
【００２１】
又、上記第７の発明によれば、バッテリの診断に必要なバッテリに関する情報あるいはバッテリの充電に必要なバッテリに関する情報はバッテリ情報記憶装置に記憶保持され、バッテリ診断装置によるバッテリの診断結果あるいはバッテリ充電装置で得たバッテリの特性の算出結果もバッテリ情報記憶装置に記憶保持され、バッテリ情報表示装置がバッテリの診断結果あるいはバッテリの特性の算出結果の情報を読み出して表示するので、記憶保持しておくべきバッテリについての情報はバッテリ情報記憶装置に集中して記憶保持させ、バッテリに接続する各種の機器で効率良くその情報を活用できる。
しかも、バッテリ情報記憶装置とバッテリ情報表示装置等との間の通信は、バッテリの端子に接続されている配線を経て行われ、通信のための格別の配線を必要としない。
もって、バッテリとバッテリ充電装置とを接続してバッテリに関する情報を取り扱う場合において、その情報の管理ややり取りを全体として効率良く行えるものとなった。
【図面の簡単な説明】
【００２２】
【図１】本発明の実施の形態にかかるシステムの全体概略図
【図２】本発明の実施の形態にかかるバッテリの外観斜視図
【図３】本発明の実施の形態にかかるバッテリ情報記憶装置のブロック構成図
【図４】本発明の実施の形態にかかるバッテリ診断装置のブロック構成図
【図５】本発明の実施の形態にかかるバッテリ充電装置のブロック構成図
【図６】本発明の実施の形態にかかるバッテリ情報表示装置のブロック構成図
【図７】本発明の実施の形態にかかるバッテリ情報記憶装置における処理を示すフローチャート
【図８】本発明の実施の形態にかかるバッテリ情報記憶装置における処理を示すフローチャート
【図９】本発明の実施の形態にかかるバッテリ情報記憶装置における処理を示すフローチャート
【図１０】本発明の実施の形態にかかるバッテリ情報記憶装置における処理を示すフローチャート
【図１１】本発明の実施の形態にかかるバッテリ診断装置における処理を示すフローチャート
【図１２】本発明の実施の形態にかかるバッテリ診断装置における処理を示すフローチャート
【図１３】本発明の実施の形態にかかるバッテリ縦断装置における充電パターンを説明するグラフ
【図１４】本発明の実施の形態にかかるバッテリ充電装置における処理を示すフローチャート
【図１５】本発明の実施の形態にかかるバッテリ情報表示装置における処理を示すフローチャート
【発明を実施するための形態】
【００２３】
以下、本発明を車両の１例である自動車に搭載するバッテリの管理のためのシステムとした場合の実施の形態を図面に基づいて説明する。
本実施の形態のバッテリ管理システムは、図１のブロック図に示すように、管理の対象となるバッテリ１と、バッテリ１に関する情報を記憶するバッテリ情報記憶装置２と、バッテリ１の状態を診断するバッテリ診断装置３と、バッテリ１を充電するバッテリ充電装置４と、バッテリ１の診断結果等のバッテリの情報を表示するバッテリ情報表示装置５とから構成されている。
バッテリ情報記憶装置２は、自動車を使用しているときは、バッテリ１からの電力供給により基本的に常時動作しており、バッテリ診断装置３，バッテリ充電装置４及びバッテリ情報表示装置５は適宜のタイミングで接続されて使用される。
【００２４】
〔バッテリ情報記憶装置２の構成〕
バッテリ情報記憶装置２は、バッテリ１の端子に接続されて使用されるものであり、本実施の形態では、図２の概略斜視図に示すように、バッテリ１の筐体に収納される状態でバッテリ１に搭載されている。
バッテリ情報記憶装置２は、バッテリ１の端子１ａ，１ｂとヒューズケース１ｃ内のヒューズ１ｄ（図１参照）を介して接続されて、ヒューズケース１ｃ内にヒューズ１ｄがセットされているときはバッテリ１から動作用電力が常時供給されている。
バッテリ１を自動車に搭載する前は、ヒューズケース１ｃからヒューズ１ｄを取外しておくことで、バッテリ情報記憶装置２によってバッテリ１の電力を消費するのを防止でき、バッテリ１の保管中に過放電となってしまうのを防止できる。
【００２５】
バッテリ情報記憶装置２には、図３のブロック図に示すように、バッテリ１の端子１ａ，１ｂ間の電圧を、バッテリ情報記憶装置２内の各回路を動作させるための５Ｖあるいは３．３Ｖの電圧に変換する電源回路２１と、マイクロプロセッサ２２と、バッテリ１の状態を測定する測定部ＭＵと、バッテリ１に接続される通信対象機器と通信するバッテリ側通信部ＢＣとが備えられている。マイクロプロセッサ２２には、詳しくは後述するバッテリ１に関する情報を記憶保持する記憶部ＭＥとして不揮発性メモリ２２ａが備えられている。
測定部ＭＵは、バッテリ１の端子１ａ，１ｂ間の電圧をＡ／Ｄ変換することでバッテリ１の出力電圧を測定するＡ／Ｄコンバータ２３と、バッテリ１の温度を検出する温度センサ２４と、温度センサ２４の検出情報（検出電圧）をＡ／Ｄ変換することでバッテリ１の温度を測定するＡ／Ｄコンバータ２５と、バッテリ１中の電解液の液面レベルを検出する液面センサ６の検出情報（検出電圧）をＡ／Ｄ変換するＡ／Ｄコンバータ２６とが備えられて構成されている。
【００２６】
バッテリ側通信部ＢＣには、バッテリ情報記憶装置２へ送られてくる信号を受信するＰＬＣ受信回路２７と、バッテリ情報記憶装置２から送信する情報を所定の信号型式に編成するＰＬＣ信号生成回路２８と、ＰＬＣ信号生成回路２８にて生成された信号を送出するＰＬＣ送信回路２９とが備えられている。
バッテリ側通信部ＢＣは、ヒューズ１ｄが取り付けられている状態でバッテリ１の端子１ａ，１ｂに常時接続され、この端子１ａ，１ｂからバッテリ情報記憶装置２への電源配線に通信情報を重畳し、その結果、端子１ａ，１ｂに接続されている通信対象機器からの配線にもその通信情報を重畳して、いわゆる電力線搬送通信によって通信を行うものである。ＰＬＣ受信回路２７，ＰＬＣ信号生成回路２８及びＰＬＣ送信回路２９がこの通信のための主要部を構成し、ＰＬＣ受信回路２７は、端子１ａ，１ｂに接続されている電源配線に重畳されている信号を抽出して受信データとして取り出す機能を有し、ＰＬＣ送信回路２９は、ＰＬＣ信号生成回路２８によって所定の信号型式に編成された送信データを端子１ａ，１ｂに接続されている電源配線に重畳して送信する機能を有している。
このバッテリ側通信部ＢＣの通信相手である通信対象機器は、本実施の形態では、バッテリ診断装置３，バッテリ充電装置４及びバッテリ情報表示装置５であり、詳しくは後述するが、これらの通信対象機器には上記バッテリ側通信部ＢＣと同様の構成の通信手段が備えられている。
【００２７】
不揮発性メモリ２２ａが記憶保持するバッテリ１に関する情報は、具体的には、「バッテリ１の種類」、「バッテリ１の自動車への搭載期間」、「バッテリ１の使用期間（走行日数）」、「液減り診断回数」、「充電不足診断回数」、「過去８日間の液減り履歴」、「過去８日間の充電不足履歴」、「”良好”診断回数」、「”要注意”診断回数」、「”要交換”診断回数」、「バッテリ診断装置３による前回の診断結果」、「バッテリ診断装置３による前々回の診断結果」、「バッテリ診断装置３による前々々回の診断結果」、「充電実施回数」、「急速充電実施回数」、及び、「充電時間からの算出容量」の各データである。
【００２８】
このうち、「バッテリ１の使用期間（走行日数）」、「液減り診断回数」、「充電不足診断回数」、「過去８日間の液減り履歴」、及び、「過去８日間の充電不足履歴」の各データは、後述するバッテリ情報記憶装置２自身による診断処理によって得られるデータであり、「”良好”診断回数」、「”要注意”診断回数」、「”要交換”診断回数」、「バッテリ診断装置３による前回の診断結果」、「バッテリ診断装置３による前々回の診断結果」、及び、「バッテリ診断装置３による前々々回の診断結果」は、バッテリ診断装置３による診断結果のデータであり、更に、「充電実施回数」、「急速充電実施回数」、及び、「充電時間からの算出容量」は、バッテリ充電装置４の処理によって得られるデータである。
【００２９】
〔バッテリ診断装置３の構成〕
バッテリ診断装置３は、図１に模式的に示すように、バッテリ１の一対の端子１ａ，１ｂの夫々にクリップ形状の接続用端子３ａ，３ｂを接続して使用する。
バッテリ診断装置３には、図４のブロック図に示すように、接続用端子３ａ，３ｂをバッテリ１の端子１ａ，１ｂに接続した状態で端子１ａ，１ｂ間の電圧を、バッテリ診断装置３内の各回路を動作させるための５Ｖあるいは３．３Ｖの電圧に変換する電源回路３１と、バッテリ診断装置３の動作を制御する制御部３２と、バッテリ１の状態を測定する測定部３３と、バッテリ１の診断のために所定の信号波形をバッテリ１の端子１ａ，１ｂに印加する診断波形発生部３４と、バッテリ１の端子１ａ，１ｂに接続される機器（本実施の形態では、バッテリ情報記憶装置２）と通信する診断装置側通信部ＴＣと、バッテリ１の診断結果等を表示する液晶モニタ画面を有する表示装置３５と、制御部３２に対してバッテリ１に関する情報を手動入力、または診断処理の開始を確認するための入力装置３６とが備えられている。なお、情報の手動入力は、不揮発性メモリ２２ａに情報が記憶保持されていないバッテリ１を診断する場合に、必要な情報を入力する場合に行う。
【００３０】
診断装置側通信部ＴＣには、バッテリ診断装置３へ送られてくる信号を受信するＰＬＣ受信回路３７と、バッテリ診断装置３から送信する情報を所定の信号型式に編成するＰＬＣ信号生成回路３８と、ＰＬＣ信号生成回路３８にて生成された信号を送出するＰＬＣ送信回路３９とが備えられている。
診断装置側通信部ＴＣは、接続用端子３ａ，３ｂに至る配線に通信情報を含む信号を重畳することで、接続用端子３ａ，３ｂをバッテリ１の端子１ａ，１ｂに接続した状態で、バッテリ１の端子１ａ，１ｂに接続されている他の機器と通信する装置であり、いわゆる電力線搬送通信によって通信を行うものである。本実施の形態では、バッテリ１に搭載されているバッテリ情報記憶装置２のバッテリ側通信部ＢＣが通信相手となる。
ＰＬＣ受信回路３７等は、バッテリ情報記憶装置２のバッテリ側通信部ＢＣに備えられている同一名称の回路と同等の機能を有している。
【００３１】
〔バッテリ充電装置４の構成〕
バッテリ充電装置４は、図１に模式的に示すように、バッテリ１の一対の端子１ａ，１ｂの夫々にクリップ形状の接続用端子４ａ，４ｂを接続して使用する。
バッテリ充電装置４には、図５のブロック図に示すように、商用交流電源から、バッテリ充電装置４内の各回路を動作させるための直流電力を生成する電源回路４１と、バッテリ充電装置４の動作を制御する制御部４２と、バッテリ１への充電電圧の推移を測定する測定部４３と、バッテリ１へ充電電力を供給する充電電力発生部４４と、バッテリ１の端子１ａ，１ｂに接続される機器（本実施の形態では、バッテリ情報記憶装置２）と通信する充電装置側通信部ＣＣと、バッテリ１の充電状態等を表示する液晶モニタ画面を有する表示装置４５と、制御部４２に対してバッテリ１に関する情報を手動入力、または充電の開始を確認するための入力装置４６とが備えられている。なお、情報の手動入力は、不揮発性メモリ２２ａに情報が記憶保持されていないバッテリ１を充電する場合に、必要な情報を入力する場合に行う。
【００３２】
充電装置側通信部ＣＣには、バッテリ充電装置４へ送られてくる信号を受信するＰＬＣ受信回路４７と、バッテリ充電装置４から送信する情報を所定の信号型式に編成するＰＬＣ信号生成回路４８と、ＰＬＣ信号生成回路４８にて生成された信号を送出するＰＬＣ送信回路４９とが備えられている。
充電装置側通信部ＣＣは、接続用端子４ａ，４ｂに至る配線に通信情報を含む信号を重畳することで、接続用端子４ａ，４ｂをバッテリ１の端子１ａ，１ｂに接続した状態で、バッテリ１の端子１ａ，１ｂに接続されている他の機器と通信する装置であり、いわゆる電力線搬送通信によって通信を行うものである。本実施の形態では、バッテリ１に搭載されているバッテリ情報記憶装置２のバッテリ側通信部ＢＣが通信相手となる。
ＰＬＣ受信回路４７等は、バッテリ情報記憶装置２のバッテリ側通信部ＢＣに備えられている同一名称の回路と同等の機能を有している。
【００３３】
充電電力発生部４４は、制御部４２からの指示に基づいて、バッテリ１への充電電流あるいは充電電圧を適宜に制限した状態でバッテリ１へ電力を供給するように構成され、バッテリ１に対する充電パターンとして、「普通充電モード」，「急速充電モード」及び「過放電回復充電モード」の３つの充電制御パターンを有しており、それら各充電制御パターンでの充電電流及び充電電圧の時間変化の様子を図１３に示す。
【００３４】
図１３（ａ）の「普通充電モード」は、その名称の通り最も一般的な充電モードである。
図１３（ｂ）の「急速充電モード」は、短時間で充電状態を回復させたいときの充電モードである。
図１３（ｃ）の「過放電回復充電モード」は、バッテリ１が過放電によって極端に充電受入性が低下したときに適用されるモードである。バッテリ１がこのような状況にあるときには、上記の「普通充電モード」で充電すると、充電開始直後に制限電圧まで達して、いつまでたってもバッテリ１が充電されず、又、充電受入性も回復しない。そこで、「過放電回復充電モード」では、一定の時間だけ充電の際の制限電圧を上げることでバッテリ１の充電受入性を回復させ、その後に「普通充電モード」と同様に充電パターンへと移行する。
これらの充電モードでの制限電圧等については、後述する。
【００３５】
〔バッテリ情報表示装置５の構成〕
バッテリ情報表示装置５は、図１に模式的に示すように、バッテリ情報表示装置５のシガープラグ５ａを自動車に備えられているシガーソケット７に接続することで、バッテリ１の端子１ａ，１ｂと電気的に接続される。
バッテリ１の端子１ａ，１ｂは、一般の自動車と同様に、メイン電源ハーネス８を経てイグニッションスイッチ９へ電気的に配線され、そのイグニッションスイッチ９によって通電が入り切りされるＡＣＣ電源ハーネス１０を経てアクセサリ電源の１つであるシガーソケット７に接続されている。
従って、イグニッションスイッチ９が「ＯＮ」又は「ＡＣＣ」の状態で、バッテリ情報表示装置５は、シガーソケット７，ＡＣＣ電源ハーネス１０，イグニッションスイッチ９及びメイン電源ハーネス８を経てバッテリ１の端子１ａ，１ｂへ電気的に接続され、動作用電力の供給を受ける。
【００３６】
バッテリ情報表示装置５には、図６のブロック図に示すように、シガーソケット７から得られる直流電圧をバッテリ情報表示装置５内の各回路の動作用電圧（５Ｖあるいは３．３Ｖ）に変換する電源回路５１と、バッテリ情報表示装置５の動作を制御する制御部５２と、バッテリ１の端子１ａ，１ｂに接続される機器（本実施の形態では、バッテリ情報記憶装置２）と通信する表示装置側通信部ＤＣと、後述するようにバッテリ情報記憶装置２から受け取った情報を表示する表示装置５３とが備えられている。この表示装置５３は、バッテリ診断装置３の表示装置３５等と同様に液晶モニタ画面を有するもので良い。
【００３７】
表示装置側通信部ＤＣには、バッテリ情報表示装置５へ送られてくる信号を受信するＰＬＣ受信回路５４と、バッテリ情報表示装置５から送信する情報を所定の信号型式に編成するＰＬＣ信号生成回路５５と、ＰＬＣ信号生成回路５５にて生成された信号を送出するＰＬＣ送信回路５６とが備えられている。
表示装置側通信部ＤＣは、シガープラグ５ａをシガーソケット７に挿入し、且つ、イグニッションスイッチ９を「ＯＮ」又は「ＡＣＣ」とした状態で、バッテリ１の端子１ａ，１ｂに接続され、表示装置側通信部ＤＣからシガープラグ５ａに至る配線に通信情報を含む信号を重畳することで、バッテリ１の端子１ａ，１ｂに接続されている他の機器と通信する装置であり、いわゆる電力線搬送通信によって通信を行うものである。本実施の形態では、バッテリ１に搭載されているバッテリ情報記憶装置２のバッテリ側通信部ＢＣが通信相手となる。
ＰＬＣ受信回路５４等は、バッテリ情報記憶装置２のバッテリ側通信部ＢＣに備えられている同一名称の回路と同等の機能を有している。
【００３８】
〔バッテリ情報記憶装置２によるバッテリ１の診断〕
本実施の形態のバッテリ１の管理システムでは、バッテリ診断装置３にてバッテリ１の診断を行えるのであるが、バッテリ１に搭載されるバッテリ情報記憶装置２自体にもバッテリ診断装置３とは異なる診断形態のバッテリ診断機能が備えられている。
このバッテリ情報記憶装置２によるバッテリ診断機能は、バッテリ情報記憶装置２のマイクロプロセッサ２２が、測定部ＭＵの測定情報に基づいて、図７乃至図１０の処理を実行することによって実現される。従って、マイクロプロセッサ２２は、測定部ＭＵの測定情報に基づいてバッテリ１の診断処理を実行するバッテリ側診断部ＣＵとして機能する。
更に、図７乃至図１０に示す処理では、詳しくは後述するバッテリ診断装置３での診断処理で利用するためのデータ収集も併せて実行している。
図７乃至図１０の処理は、ヒューズ１ｄが取外されていない限り、自動車が走行しているかあるいはエンジンを停止しているかに拘わらず、常時、１０ｍｓｅｃの周期で繰り返し実行されている。
【００３９】
以下、図７乃至図１０のフローチャートに基づいて詳細に説明する。
マイクロプロセッサ２２が図７の処理を開始すると、先ず、図８に具体的な処理内容を示す「走行直後検出処理」を実行する（ステップ＃１）。
この「走行直後検出処理」は、バッテリ情報記憶装置２におけるバッテリ１の診断機能とは関係がなく、上記したように、バッテリ診断装置３における診断処理で利用するためのデータを収集する処理である。
【００４０】
具体的には、自動車のエンジンを停止してからの経過時間が５分以内か否かの情報を特定するための処理である。
この図８の「走行直後検出処理」のために、「走行直後フラグ」及び「走行検出フラグ」の２つのフラグと、「走行直後検出カウンタ」及び「走行検出用カウンタ」の２つのカウンタが備えられている。
「走行直後フラグ」は、自動車のエンジンを停止してからの経過時間が５分以内であるときに「１」にセットされ、それ以外の状態では「０」にセットされる。
「走行直後検出カウンタ」は、「走行直後フラグ」の値を設定するために、エンジンを停止してからの経過時間をカウントするカウンタである。
「走行検出フラグ」は、自動車のエンジンを始動してからの経過時間が５分以上で且つエンジンの動作が継続しているときに「１」にセットされ、それ以外の状態では「０」にセットされる。これによって自動車が走行状態にあることを安定的に検出している。
「走行検出用カウンタ」は、「走行検出フラグ」の値を設定するために、エンジンを始動してからの経過時間をカウントするカウンタである。
【００４１】
「走行直後検出処理」を図８のフローチャートに沿って詳細に説明する。
先ず、「走行直後フラグ」の値が「０」にセットされているか否かを確認し（ステップ＃９１）、「０」にセットされていれば、バッテリ１の端子１ａ，１ｂ間の電圧（「Ｖｂ」）が１３．３Ｖ以上か否かを判別して（ステップ＃９２）、１３．３Ｖ以上であれば「走行検出用カウンタ」をインクリメント（１を加算）する（ステップ＃９３）。尚、この「１３．３Ｖ以上か否か」で判断しているのは、自動車が走行状態にあるときは自動車に搭載されているオルタネータから充電電圧が供給されて、バッテリ１の端子１ａ，１ｂ間の電圧Ｖｂが１３．３Ｖ以上となっているためである。
エンジンが動作している間は、１０ｍｓｅｃ毎にステップ＃９３で「走行検出用カウンタ」がインクリメントされて行き、その「走行検出用カウンタ」のカウント値が５分間に相当するカウント値以上となると（ステップ＃９４）、「走行検出フラグ」を「１」にセットする（ステップ＃９５）。すなわち、エンジンが確実に始動しているものと特定する。
【００４２】
このようにしてエンジンの始動を確認した後、エンジンが停止されたときは、バッテリ１の端子１ａ，１ｂ間の電圧Ｖｂが１３．３Ｖよりも低くなるので、ステップ＃９２の判断でステップ＃９６へ分岐し、「走行検出フラグ」が「１」にセットされているか否かを確認する（ステップ＃９６）。  ここでは、先にステップ＃９５で「走行検出フラグ」が「１」にセットされているので、その「走行検出フラグ」を「０」にセットし（ステップ＃９７）、「走行検出用カウンタ」をリセットする（ステップ＃９８）。
更に、「走行直後フラグ」を「１」にセットし（ステップ＃９９）、「走行直後検出カウンタ」をインクリメントして（ステップ＃１００）、エンジン停止後の経過時間の計時を開始する。
【００４３】
「走行直後フラグ」が「１」にセットされると、ステップ＃９１の判断でステップ＃１０１へ分岐し、「走行直後検出カウンタ」のカウント値が５分間に相当するカウント値以内か否かを確認する（ステップ＃１０１）。
「走行直後検出カウンタ」のカウント値が５分間に相当するカウント値以内で、エンジンを停止してから５分が経過していないときは、「走行直後検出カウンタ」をインクリメントして（ステップ＃１０２）、図８の処理を抜ける。これ以降、１０ｍｓｅｃ毎にステップ＃１０２で「走行直後検出カウンタ」がインクリメントされて行く。
そして、「走行直後検出カウンタ」のカウント値が５分間に相当するカウント値以内ではなく、エンジンを停止してから経過時間が５分より長くなったときは（ステップ＃１０１）、「走行直後フラグ」を「０」にセットし（ステップ＃１０３）、「走行直後検出カウンタ」をリセットする（ステップ＃１０４）。
【００４４】
図８の「走行直後検出処理」で「走行直後フラグ」を設定しつつ、図８の処理を抜けると、次の「異常履歴検出処理」を実行する（図７のステップ＃２）。
このステップ＃２以降の処理が、バッテリ情報記憶装置２によるバッテリ１の診断のための処理である。
バッテリ情報記憶装置２では、バッテリ１の診断に関しては、バッテリ１の使用期間、バッテリ１の電解液が設定以上に減少する液減りが発生したか否か、及び、充電不足が発生したか否かについて診断して、その結果を不揮発性メモリ２２ａへ記憶保持する。
これらの状況を把握するためのフラグとして、マイクロプロセッサ２２は、自動車が走行状態となってバッテリ１が使用されたことを示すフラグである「走行フラグ」と、バッテリ１の電解液が設定以上に減少したことを液面センサ６が検出した状態（「Ｌｏ」レベルの検出状態）であることを示すフラグである「液減りフラグ」と、バッテリ１が充電不足の状態であることを示すフラグである「充電不足フラグ」とを有している。
図７乃至図１０の処理が１０ｍｓｅｃの周期で繰り返し実行されて、上記の各フラグの値が設定され、そのフラグの値を２４時間毎に収集して、その収集したデータに基づいて上記の不揮発性メモリ２２ａの値を更新している。
【００４５】
図８及び図９に具体的な処理内容を示す「異常履歴検出処理」では、上記の「走行フラグ」、「液減りフラグ」、「充電不足フラグ」について、順次に設定を行う。
先ず、「走行フラグ」については、バッテリ１の端子１ａ，１ｂ間の電圧（「Ｖｂ」）が１３．３Ｖ以上となっている状態が５分間以上継続したときに「走行フラグ」を「１」にセットすることで、走行状態にあることを安定的に検出している。
【００４６】
このバッテリ１の電圧Ｖｂが１３．３Ｖ以上の状態となっている時間を計時するために「走行検出用カウンタ」が備えられており、既に「走行フラグ」が「１」にセットされている場合を除き（ステップ＃２１）、バッテリ１の電圧Ｖｂが１３．３Ｖ以上となっているときは（ステップ＃２２）、図９及び図１０の処理が実行される１０ｍｓｅｃ毎に「走行検出用カウンタ」がインクリメントされて行く（ステップ＃２４）。尚、この「走行検出用カウンタ」は、図８の処理における「走行検出用カウンタ」とは別個独立に備えられているものである。
そして、「走行検出用カウンタ」のカウント値が５分間に相当するカウント値以上となると（ステップ＃２５）、「走行フラグ」を「１」にセットする（ステップ＃２６）。
一方、バッテリ１の電圧Ｖｂが１３．３Ｖ未満となっているときは（ステップ＃２２）、「走行検出用カウンタ」をリセットする（ステップ＃２３）ので、バッテリ１の電圧Ｖｂが１３．３Ｖ以上となってから５分を経過する前に１３．３Ｖ未満に低下すると、「走行検出用カウンタ」がリセットされて、「０」から計時をやり直すことになる。
【００４７】
次ぎに、「液減りフラグ」については、液面センサ６が、バッテリ１の電解液が設定以上減少したことを示す「Ｌｏ」レベル信号を１分以上継続して出力したときに「液減りフラグ」を「１」にセットすることで、バッテリ１中の電解液の減少量が大きいことを安定的に検出している。
液面センサ６の出力が「Ｌｏ」レベルとなっている時間を計時するために「液面検出用カウンタ」が備えられており、既に「液減りフラグ」が「１」にセットされている場合を除き（ステップ＃２７）、液面センサ６の出力が「Ｌｏ」レベルとなっているときは（ステップ＃２８）、図９及び図１０の処理が実行される１０ｍｓｅｃ毎に「液面検出用カウンタ」がインクリメントされて行く（ステップ＃３０）。
【００４８】
そして、「液面検出用カウンタ」のカウント値が１分に相当するカウント値以上となると（ステップ＃３１）、「液減りフラグ」を「１」にセットする（ステップ＃３２）。
一方、液面センサ６の出力が「Ｌｏ」レベルより液量が多いことを示す信号出力となっているときは（ステップ＃２８）、「液面検出用カウンタ」をリセットする（ステップ＃２９）ので、液面センサ６の出力が「Ｌｏ」レベルとなってから１分経過する前に「Ｌｏ」レベルより液量が多いことを示す信号出力に変化すると、「液面検出用カウンタ」がリセットされて、「０」から計時をやり直すことになる。
【００４９】
次ぎに、「充電不足フラグ」については、バッテリ１の端子１ａ，１ｂ間の電圧（「Ｖｂ」）が１１．８Ｖ以下となっている状態が１時間以上継続したときに「充電不足フラグ」を「１」にセットすることで、充電不足の状態にあることを安定的に検出している。
このバッテリ１の電圧Ｖｂが１１．８Ｖ以下の状態となっている時間を計時するために「充電不足検出用カウンタ」が備えられており、既に「充電不足フラグ」が「１」にセットされている場合を除き（ステップ＃３３）、バッテリ１の電圧Ｖｂが１１．８Ｖ以下となっているときは（ステップ＃３４）、図９及び図１０の処理が実行される１０ｍｓｅｃ毎に「充電不足検出用カウンタ」がインクリメントされて行く（ステップ＃３６）。
【００５０】
そして、「充電不足検出用カウンタ」のカウント値が１時間に相当するカウント値以上となると（ステップ＃３７）、「充電不足フラグ」を「１」にセットする（ステップ＃３８）。
一方、バッテリ１の電圧Ｖｂが１１．８Ｖより大となっているときは（ステップ＃３４）、「充電不足検出用カウンタ」をリセットする（ステップ＃３５）ので、バッテリ１の電圧Ｖｂが１１．８Ｖ以下となってから１時間経過する前に１１．８Ｖより大となると、「充電不足検出用カウンタ」がリセットされて、「０」から計時をやり直すことになる。
【００５１】
以上のように、「走行フラグ」、「液減りフラグ」及び「充電不足フラグ」の値の設定についての処理を１０ｍｓｅｃ周期で繰り返し実行しながら、２４時間毎にこれらのフラグの設定値を確認して、不揮発性メモリ２２ａの記憶データの更新処理を行う（図７のステップ＃３〜＃１５）。
詳細に説明すると、上記の２４時間を計時するために「２４ｈカウンタ」が備えられており、図７の処理が実行される１０ｍｓｅｃ毎に「２４ｈカウンタ」がインクリメントされて行く（図７のステップ＃４）。
「２４ｈカウンタ」のカウント値が２４時間に相当するカウント値以上となると（ステップ＃２）、上記の「異常履歴検出処理」で管理している「走行フラグ」の値を読み出して、その値が「１」にセットされていれば（ステップ＃５）、バッテリ１の使用期間（使用日数）をカウントする「使用期間カウンタ」をインクリメントする（ステップ＃６）。
【００５２】
次ぎに、「液減りフラグ」の値を読み出して、その値が「１」にセットされていれば（ステップ＃７）、液面センサ６が「Ｌｏ」レベルを出力するまでの電解液の減少が発生したことを日単位でカウントする「液減り診断カウンタ」をインクリメントする（ステップ＃８）。
そして、不揮発性メモリ２２ａから「過去８日間の液減り履歴」データを読み出し、この時点の「液減りフラグ」の値を付加すると共に、最も古い日のデータを削除することで「過去８日間の液減り履歴」データを更新する（ステップ＃９）。尚、この「過去８日間の液減り履歴」データは、直近８日分の上記「液減りフラグ」の値（ステップ＃７で読取った値）を並べたデータに相当する。
【００５３】
次ぎに、「充電不足フラグ」の値を読み出して、その値が「１」にセットされていれば（ステップ＃１０）、充電不足が発生したことを日単位でカウントする「充電不足回数カウンタ」をインクリメントする（ステップ＃１１）。
そして、不揮発性メモリ２２ａから「過去８日間の充電不足履歴」データを読み出し、この時点の「充電不足フラグ」の値を付加すると共に、最も古い日のデータを削除することで「過去８日間の充電不足履歴」データを更新する（ステップ＃１２）。尚、この「過去８日間の充電不足履歴」データも、上記の「過去８日間の液減り履歴」データと同様に、直近８日分の上記「充電不足フラグ」の値（ステップ＃１０で読取った値）を並べたデータに相当する。
【００５４】
この後、「走行フラグ」、「液減りフラグ」及び「充電不足フラグ」の値を「０」にリセットし（ステップ＃１３）、更に「２４ｈカウンタ」をリセットした（ステップ＃１４）後、不揮発性メモリ２２ａのデータを更新する（ステップ＃１５）。
具体的には、不揮発性メモリ２２ａの記憶データのうち、「バッテリ１の使用期間（走行日数）」に上記の「使用期間カウンタ」のカウント値を書き込んで更新し、「液減り診断回数」に上記の「液減り診断カウンタ」のカウント値を書き込んで更新し、「充電不足診断回数」に上記の「充電不足回数カウンタ」のカウント値を書き込んで更新し、「過去８日間の液減り履歴」及び「過去８日間の充電不足履歴」には、夫々上記ステップ＃９及び上記ステップ＃１２で更新したデータを書き込んで更新する。
【００５５】
〔バッテリ診断装置３によるバッテリ１の診断〕
次ぎに、バッテリ診断装置３によるバッテリ１の診断について説明する。
自動車のエンジンを切った状態で、バッテリ１の端子１ａ，１ｂにバッテリ診断装置３のクリップ式の接続用端子３ａ，３ｂを接続すると、制御部３２は測定部３３にバッテリ１の端子１ａ，１ｂ間の電圧を測定させて以下のような処理が実行される。
制御部３２は、図１１及び図１２の処理を実行し、それによってバッテリ１の診断を行う診断処理部ＴＵとして機能する。尚、図１１及び図１２のフローチャートに示す処理は、バッテリ情報記憶装置２からバッテリ１の診断に必要な情報を取り込んでバッテリ１の診断条件を設定する処理であり、バッテリ情報記憶装置２が設置されていないバッテリのために、別途備えられているスイッチを手動入力側に設定しておくことで、表示装置３５及び入力装置３６から診断対象のバッテリの種類を入力操作してそのバッテリの診断条件を設定することも可能となっている。
【００５６】
制御部３２は、図１１及び図１２の処理を開始すると、先ず、バッテリ情報記憶装置２に対して、バッテリ１に関する情報を送信するように要求する（ステップ＃４１）。
バッテリ情報記憶装置２側では、バッテリ診断装置３からこの送信要求を受け取ると割り込み処理で、不揮発性メモリ２２ａの記憶内容のうち、「バッテリ１の種類」、「過去８日間の液減り履歴」及び「過去８日間の充電不足履歴」の３つのデータをバッテリ診断装置３へ送信する。更に、上述の「走行直後フラグ」の値も併せて送信する。尚、この際の通信は上述のように、バッテリ１の端子１ａ，１ｂに接続されている配線を経てバッテリ側通信部ＢＣと診断装置側通信部ＴＣとにより電力線搬送通信にて通信している。
【００５７】
制御部３２は、バッテリ情報記憶装置２から送られてきたデータを受信すると（ステップ＃４２）、「過去８日間の液減り履歴」のデータの中に上記の液減りフラグが「１」にセットされたデータが含まれているか否かを確認し（ステップ＃４３）、含まれている場合には、バッテリー液の補充を行う必要がある旨を表示装置３５に表示して（ステップ＃４４）処理を終了する。
液減りフラグが「１」となった日のデータが含まれていなければ、更に、「過去８日間の充電不足履歴」のデータの内の最も最近の日のデータが上記充電不足フラグが「１」にセットされたデータとなっているか否かを確認し（ステップ＃４５）、上記充電不足フラグが「１」で充電不足となっている場合には、充電を行う必要がある旨を表示装置３５に表示して（ステップ＃４６）処理を終了する。
【００５８】
液減りが発生しておらず且つ充電不足でもない場合は、「バッテリ１の種類」の情報に基づいて、バッテリ１を診断するための診断条件を決定する（ステップ＃４７）。
バッテリ診断装置３によるバッテリ１の診断は、バッテリ１を５秒間放電したときのバッテリ１側の応答として、放電５秒目のバッテリ１の端子１ａ，１ｂ間の電圧（以下、「放電５秒目電圧」と称する）と、放電終了後の２．５秒経過時のバッテリ１の端子１ａ，１ｂ間の電圧（以下、「２．５秒目回復電圧」と称する）との測定値を診断用の判別値と比較することによって行う。
【００５９】
この診断手法における診断条件は、バッテリ１を放電させるときの通電状態（より具体的には、放電電流値）をどのような値に設定するか、及び、上記放電５秒目電圧及び上記２．５秒目回復電圧の診断用判別値をどのように設定するかである。
このうち、放電電流値と放電５秒目電圧の判別値とについては、バッテリ１の種類（バッテリ１の型式）によって異なる値が設定されている。
これを表１にまとめている。
【００６０】
【表１】
2011075458.tif 000003
【００６１】
表１では、バッテリ１の種類（バッテリ１の型式、「２８Ｂ１７」等）とそれの定格容量と共に、５秒間放電させる際の放電電流（表１では「診断電流」と表記）と放電５秒目電圧のための判別値とを、バッテリ１の種類毎に示している。
放電５秒目電圧のための判別値には、「要注意閾値」と「要交換閾値」とがあり、放電５秒目電圧が「要注意閾値」以上の場合は、バッテリ１には問題がなく良好な状態であり、放電５秒目電圧が「要注意閾値」未満で且つ「要交換閾値」以上の場合は、バッテリ１は交換が必要という程ではないが注意を払っておく必要がある状態であり、放電５秒目電圧が「要交換閾値」未満である場合は、バッテリ１の交換が必要とする状態である、と判断できるように夫々の値が設定されている。
制御部３２は表１のテーブルデータを記憶保持しており、バッテリ情報記憶装置２から受け取った「バッテリ１の種類」の情報に基づいて、何れの放電電流値（診断電流値）、並びに、「要注意閾値」及び「要交換閾値」を使用するかを選択する。
【００６２】
但し、表１の「要注意閾値」及び「要交換閾値」をそのまま適用するのではなく、表１から読み出した「要注意閾値」及び「要交換閾値」の値に温度補正を行う。
この温度補正は、ステップ＃４２でバッテリ情報記憶装置２から受信した「走行直後フラグ」の値が「１」にセットされ、エンジンが停止されてからの経過時間が５分以内であるときは、表１の「要注意閾値」及び「要交換閾値」の値をそのまま使用し、そうでない場合は、図示を省略する温度センサの検出値に基づいて補正値を設定する。
温度センサの検出値に基づく補正値は、２５℃で「−０．５Ｖ」、１０℃で「−０．８Ｖ」、０℃で「−１．０Ｖ」であり、それ以外の温度での補正値は補間によって設定する。
これらの補正値を「要注意閾値」及び「要交換閾値」の値に足し合わせることで、「要注意閾値」及び「要交換閾値」の値を補正する。尚、この温度による補正は、バッテリ情報記憶装置２に備えられている温度センサ２４の検出信号をバッテリ側通信部ＢＣと診断装置側通信部ＴＣとの通信により取得し、温度センサ２４の検出値に基づいて上記の補正値を決定するように構成しても良い。
又、２．５秒目回復電圧のための判別値は、バッテリ１の種類や温度に依存せず、「１１．５Ｖ」に固定設定されている。
【００６３】
以上のように診断条件を設定した後、操作者が入力装置３６から診断開始の指示を入力するのを待機する（ステップ＃４８）。
操作者が入力装置３６から診断開始を指示入力すると、制御部３２は、上述のように決定した放電電流（診断電流）の値でバッテリ１が５秒間放電されるように制御された電圧波形を出力するように診断波形発生部３４に指示すると共に、測定部３３に対して上記の放電５秒目電圧と２．５秒目回復電圧とを測定するように指示する（ステップ＃４９）。
【００６４】
制御部３２は、測定部３３から放電５秒目電圧及び２．５秒目回復電圧の測定値を受け取ると（ステップ＃５０）、先ず２．５秒目回復電圧の測定値を上述した判別値である「１１．５Ｖ」と比較して（ステップ＃５１）、１１．５Ｖ未満であれば表示装置３５にバッテリ１の充電が必要である旨の表示を行って（ステップ＃５２）処理を終了する。
２．５秒目回復電圧の測定値が１１．５Ｖ以上であれば更に放電５秒目電圧の測定値の評価に移行する。
【００６５】
放電５秒目電圧の測定値が、上述の温度補正を行った「要注意閾値」以上の値であれば（ステップ＃５３）、表示装置３５にバッテリ１の状態が良好である旨の表示を行う（ステップ＃５４）。
放電５秒目電圧の測定値が、温度補正を行った「要注意閾値」未満の値で且つ温度補正を行った「要交換閾値」以上の値であれば（ステップ＃５５）、直ちにバッテリ１の交換を必要とする程ではないが、バッテリ１に注意を払う必要がある旨を表示装置３５に表示する（ステップ＃５６）。
更に、放電５秒目電圧の測定値が、温度補正を行った「要交換閾値」未満の値であれば（ステップ＃５５）、バッテリ１の交換が必要である旨を表示装置３５に表示する（ステップ＃５７）。
【００６６】
以上のように放電５秒目電圧に基づく診断結果を表示装置３５に表示した後、この診断結果をバッテリ情報記憶装置２へ送信して（ステップ＃５８）、処理を終了する。
バッテリ情報記憶装置２へ送信するデータは、図１２のステップ＃５４の表示に対応する「良好」、ステップ＃５６の表示に対応する「要注意」及びステップ＃５７の表示に対応する「要交換」の３つのデータのうちの何れかであり、その時点での診断結果のデータを診断装置側通信部ＴＣを経てバッテリ情報記憶装置２（厳密には、バッテリ側通信部ＢＣ）へ送信する。
【００６７】
バッテリ情報記憶装置２は、バッテリ診断装置３から送られてくる上記の診断結果のデータを割り込み処理で受取り、更に、受け取った診断結果のデータによって不揮発性メモリ２２ａの記憶内容を更新する。
具体的には、不揮発性メモリ２２ａの記憶内容のうちの、「”良好”診断回数」、「”要注意”診断回数」及び「”要交換”診断回数」について、バッテリ診断装置３から受け取った上記の診断結果によって診断結果に対応する記憶内容の値に１を加算して更新し、「バッテリ診断装置３による前回の診断結果」の記憶内容を「バッテリ診断装置３による前々回の診断結果」へ、「バッテリ診断装置３による前々回の診断結果」の記憶内容を「バッテリ診断装置３による前々々回の診断結果」へ夫々シフトした後、「バッテリ診断装置３による前回の診断結果」に、この時点でバッテリ診断装置３から受け取った診断結果の内容を記憶保持する。
【００６８】
〔バッテリ充電装置４によるバッテリ１の充電〕
次ぎに、バッテリ充電装置４によるバッテリ１の充電について説明する。
自動車のエンジンを切った状態で、バッテリ１の端子１ａ，１ｂにバッテリ充電装置４のクリップ式の接続用端子４ａ，４ｂを接続すると、制御部４２は測定部４３にバッテリ１の端子１ａ，１ｂ間電圧を測定させて以下のような処理が実行される。
制御部４２による処理を図１４のフローチャートに示す。尚、図１４のフローチャートに示す処理は、バッテリ情報記憶装置２からバッテリ１の充電に必要な情報を取り込んでバッテリ１の充電条件を設定する処理を行っているが、バッテリ情報記憶装置２が設置されていないバッテリのために、必要な情報を全て表示装置４５及び入力装置４６から入力操作してそのバッテリの充電条件を設定することも可能となっている。
【００６９】
制御部４２は、図１４の処理を開始すると、先ず、バッテリ情報記憶装置２に対して、バッテリ１に関する情報を送信するように要求する（ステップ＃６１）。
バッテリ情報記憶装置２側では、バッテリ診断装置３からこの送信要求を受け取ると割り込み処理で、不揮発性メモリ２２ａの記憶内容のうち、「バッテリ１の種類」、「バッテリ１の自動車への搭載期間」、「バッテリ１の使用期間（走行日数）」、「過去８日間の液減り履歴」、「過去８日間の充電不足履歴」、「充電実施回数」及び「急速充電実施回数」の５つのデータをバッテリ充電装置４へ送信する。尚、この際の通信は上述のように、バッテリ１の端子１ａ，１ｂに接続されている配線を経てバッテリ側通信部ＢＣと充電装置側通信部ＣＣとにより電力線搬送通信にて通信している。
【００７０】
制御部４２は、バッテリ情報記憶装置２から送られてきたデータを受信すると（ステップ＃６２）、測定部４３にバッテリ１の端子１ａ，１ｂ間電圧（端子電圧）を測定させて開路電圧（ＯＣＶ）の測定値として取得する（ステップ＃６３）。
その後、表示装置４５に、バッテリ情報記憶装置２から受け取った「充電実施回数」及び「急速充電実施回数」のデータを充電履歴として表示させ（ステップ＃６４）、操作者が入力装置４６から充電開始を指示入力するのを待機する（ステップ＃６５）。
【００７１】
操作者が、充電モードとして、上述の「普通充電モード」，「急速充電モード」及び「過放電回復充電モード」のうちの何れかを指定し、更に、バッテリ１が「液式」，「二重蓋」及び「密閉」のうちの何れの形式であるかを指定した状態で入力装置４６から充電の開始を指示入力すると、次の段階に移行する。尚、バッテリ情報記憶装置２の「バッテリ１の種類」の情報に、バッテリ１が「液式」，「二重蓋」及び「密閉」のうちの何れの形式であるかを示す記号が含まれている場合には、「液式」，「二重蓋」及び「密閉」のうちの何れの形式であるかを入力装置４６にて指定する操作は不要となる。
【００７２】
操作者の充電開始の指示に伴って、先ず、指定された条件での充電が可能か否かを判断する（ステップ＃６６）。
すなわち、バッテリ１が「二重蓋」及び「密閉」のうちの何れかの形式である場合、安全上や寿命低下の観点から、「急速充電モード」及び「過放電回復充電モード」での充電を禁止するようにしており、バッテリ１が「二重蓋」及び「密閉」のうちの何れかの形式であるにも係わらず、「急速充電モード」あるいは「過放電回復充電モード」が指定されている場合には、表示装置４５に充電ができない旨の表示を行って（ステップ＃６９）、処理を終了する。
【００７３】
上記の充電禁止要件に該当しないときは、更に、「過放電回復充電モード」が指定されている場合に（ステップ＃６７）、それが可能か否かを判断する（ステップ＃６８）。
すなわち、「過放電回復充電モード」での充電を可能とするための判断要素として、（Ａ）バッテリ情報記憶装置２から受け取った「バッテリ１の自動車への搭載期間」、「バッテリ１の使用期間（走行日数）」のデータにおいて、「バッテリ１の使用期間（走行日数）」／「バッテリ１の自動車への搭載期間」の比率が０．１以下であること、（Ｂ）バッテリ情報記憶装置２から受け取った「過去８日間の充電不足履歴」において充電不足となっている日が１日以上であること、（Ｃ）バッテリ情報記憶装置２から受け取った「過去８日間の液減り履歴」において液減り状態となっている日が存在しないこと、（Ｄ）ステップ＃６３で測定したバッテリ１の電圧が１１．８Ｖ以下であること、の４つの判断要素が存在し、これら４項目の判断要素で構成される論理式（Ａ  ＯＲ  Ｂ）ＡＮＤ  Ｃ  ＯＲ  Ｄ  の演算結果が「真」となる場合に、「過放電回復充電モード」での充電を許可する。
この要件を具備しないときには、表示装置４５に充電ができない旨の表示を行って（ステップ＃６９）、処理を終了する。
【００７４】
「過放電回復充電モード」が指定されていないか、あるいは、「過放電回復充電モード」が指定されていても上述の許可要件を具備する場合は、充電条件を決定する（ステップ＃７０）。この充電条件の決定のために、制御部４２は、後述する表２乃至表４の内容のデータテーブルを記憶保持している。
先ず、図１３における、ＶＮ，ＶＲ，Ｖｏの制限電圧に関しては、「普通充電モード」の場合、「液式」のバッテリ１では、ＶＮ＝１６Ｖ、「二重蓋」のバッテリ１では、ＶＮ＝１６Ｖ、「密閉」のバッテリ１では、ＶＮ＝１５Ｖとする。
「急速充電モード」の場合は、上述のように「液式」のバッテリ１のみが充電可能であり、ＶＲ＝１６Ｖとし、「過放電回復充電モード」の場合も、上述のように「液式」のバッテリ１のみが充電可能であり、ＶＯ＝１８Ｖとする。尚、「過放電回復充電モード」の場合のＶＮは、「普通充電モード」と同様の充電態様に移行した後であるのでＶＮ＝１６Ｖとする。
【００７５】
次ぎに、図１３における、ＩＮ，ＩＲの最大電流に関しては、バッテリ情報記憶装置２から受け取った「バッテリ１の種類」の情報に基づいて、表２に従って決定する。尚、図１３（ｃ）において最大電流を「ＩＮ」と表記しているように、「過放電回復充電モード」での最大電流は、「普通充電モード」での最大電流と同一の値に設定している。
【００７６】
【表２】
2011075458.tif 000004
【００７７】
最後に、図１３における、ＴＮ−ｅｎｄ，ＴＲ−ｅｎｄ，ＴＯ−ｅｎｄの充電終了時間に関しては、「急速充電モード」の場合は、ＴＲ−ｅｎｄ＝０．５ｈ、「過放電回復充電モード」の場合は、ＴＲ−ｅｎｄ＝１３ｈとしている。
「普通充電モード」の場合は、ステップ＃６３で測定したバッテリ１の端子１ａ，１ｂ間電圧（開路電圧）から表３に従って放電深度を推定し、その放電深度から表４に従って充電時間（ＴＮ−ｅｎｄ）を決定する。尚、表３及び表４のテーブルデータの途中の値は補間によって求める。
【００７８】
【表３】
2011075458.tif 000005
【００７９】
【表４】
2011075458.tif 000006
【００８０】
以上のようにして充電条件を決定すると、指定された充電モードに応じて、図１３に示す電圧波形及び電流波形でバッテリ１の充電を開始するように充電電力発生部４４へ指示すると共に、測定部４３に充電中のバッテリ１の端子１ａ，１ｂ間電圧（充電電圧）の推移を計測するように指示する（ステップ＃７１）。
【００８１】
充電電力発生部４４からバッテリ１への充電時間がＴＮ−ｅｎｄ，ＴＲ−ｅｎｄあるいはＴＯ−ｅｎｄに達して、制御部４２が充電が完了した旨の信号を充電電力発生部４４から受け取ると（ステップ＃７２）、表示装置４５の充電が完了した旨の表示を行い（ステップ＃７３）、更に、測定部４３から充電中のバッテリ１の端子１ａ，１ｂへの充電電圧の推移のデータを取り込んで、バッテリ１の特性であるバッテリ１の容量を算出する（ステップ＃７４）。
【００８２】
このバッテリ１の容量の推定は以下のようにして行う。
ある劣化状態において、バッテリ１の開路電圧から推定した放電深度がｘ％であったとして、この状態で電流値Ｉで充電したとき、上述の制御電圧（上限電圧）に達する時間 ｔｃは、ｔｃ＝（Ｃｃ／Ｉ）＊（（ｘ−１０）／１００）と算出できる。ここで、Ｃｃは、バッテリ１の定格容量である。
これに対して、ステップ＃７１の指示によって実際にバッテリ１を充電していたときに、測定部４３で収集したデータから、上述の制御電圧（上限電圧）に達した時間がｔｍ（ｔｍ＜ｔｃ）まで短くなっていたとすると、ｔｍとｔｃとの比率でバッテリ１の容量が低下していると言える。
そこで、実際の電池の容量Ｃｍは、Ｃｍ＝（Ｃｃ／ｔｃ）＊ｔｍと算出できる。このため、制御部４２は、上記表１におけるバッテリ１の種類と定格容量の関係を示すデータを記憶保持している。
【００８３】
制御部４２は、このようにして算出したバッテリ１の容量値を、充電装置側通信部ＣＣを経てバッテリ情報記憶装置２へ送信して（ステップ＃７５）、処理を終了する。この際、バッテリ１の充電が「急速充電モード」で行われたものであるときは、それを示すデータも併せて送信する。以上から、制御部４２、充電電力発生部４４及び測定部４３にてバッテリ１の充電を充電部ＪＵが構成されている。
バッテリ情報記憶装置２は、バッテリ充電装置４から送られてくる上記のバッテリ１の算出容量のデータを割り込み処理で受取り、更に、受け取ったデータによって不揮発性メモリ２２ａの記憶内容を更新する。
具体的には、不揮発性メモリ２２ａの記憶内容のうちの、「充電実施回数」、「急速充電実施回数」、及び、「充電時間からの算出容量」について、「充電実施回数」のデータに１を加算して更新し、受け取ったデータに「急速充電モード」で充電したことを示すデータが含まれていれば「急速充電実施回数」のデータに１を加算して更新し、更に、「充電時間からの算出容量」をバッテリ充電装置４から受け取った最新のデータに更新する。
尚、バッテリ充電装置４から受け取ったバッテリ１の算出容量のデータは、次回の充電における充電時間の決定に利用することも可能である。
【００８４】
〔バッテリ情報表示装置５によるバッテリ１に関する情報の表示〕
次ぎに、バッテリ情報表示装置５によるバッテリ１に関する情報の表示について説明する。
バッテリ情報表示装置５は、上述のように自動車のシガーソケット７にバッテリ情報表示装置５のシガープラグ５ａを挿入することで、シガーソケット７から動作用電力の供給を受けて使用する。
従って、自動車のイグニッションスイッチ９が「ＯＮ」又は「ＡＣＣ」の状態となっている必要がある。
【００８５】
バッテリ情報表示装置５の制御部５２は、シガーソケット７からの給電が開始されるに伴って、図１５のフローチャートに示す処理を開始する。尚、図１５の処理は、シガーソケット７からバッテリ情報表示装置５へ給電されている間は常時実行されており、イグニッションスイッチ９が「ＯＦＦ」されること等によって給電が停止されると処理を停止することになる。
【００８６】
図１５の処理では、先ず、バッテリ情報記憶装置２に対して、バッテリ１に関する情報を送信するように要求する（ステップ＃８１）。
バッテリ情報記憶装置２側では、バッテリ情報表示装置５からこの送信要求を受け取ると割り込み処理で、不揮発性メモリ２２ａの記憶内容のうち、「バッテリ１の種類」、「過去８日間の液減り履歴」、「バッテリ診断装置３による前回の診断結果」、及び、「充電時間からの算出容量」のデータをバッテリ情報表示装置５へ送信すると共に、併せて、測定部ＭＵにて測定したその時点のバッテリ１の端子１ａ，１ｂ間の電圧（端子電圧）データをバッテリ情報表示装置５へ送信する。尚、この際の通信は上述のように、バッテリ１の端子１ａ，１ｂに接続されているメイン電源ハーネス８やＡＣＣ電源ハーネス１０等の配線を経てバッテリ側通信部ＢＣと表示装置側通信部ＤＣとにより電力線搬送通信にて通信している。
【００８７】
制御部５２は、バッテリ情報記憶装置２から送信されたデータを表示装置側通信部ＤＣを経て受け取ると（ステップ＃８２）、それらのデータに基づく表示を表示装置５３で行う。
先ず、バッテリ１の端子１ａ，１ｂ間電圧（端子電圧）のデータについて、満充電の状態の開路電圧（ＯＣＶ）との比較において評価した結果を表示する（ステップ＃８３）。
この評価は、バッテリ情報記憶装置２から受け取ったバッテリ１の端子１ａ，１ｂ間電圧をＶｘ、満充電時の開路電圧をＶ１、完全放電時の開路電圧をＶ２として、評価値Ｅｖを、Ｅｖ＝（Ｖｘ−Ｖ２）／（Ｖ１−Ｖ２）として求める。
Ｅｖは０〜１．０の範囲の値をとり得るが、この範囲を５段階に均等分割して、求めた評価値Ｅｖがどの段階に属するかをバーグラフにて表示装置５３に表示する。
この表示は、１０秒間継続して表示する。
尚、この評価を行うために、制御部５２は上記表８のデータをデータテーブルとして記憶保持している。
【００８８】
上記評価値Ｅｖを１０秒間表示すると、次ぎに、バッテリ１の電解液の液面情報の表示を行う（ステップ＃８４）。
バッテリ１の電解液の液面情報は、電解液が設定以上減っているか否かを２段階で表示するもので、バッテリ情報記憶装置２から送られてきた「過去８日間の液減り履歴」データのうちの最新の日のデータに基づいて、電解液が設定以上減っているか否かを表示装置５３に表示する。この表示も、１０秒間継続する。
【００８９】
バッテリ１の電解液の液面情報の表示が終了すると、次ぎに、バッテリ診断装置３による診断情報を表示する（ステップ＃８５）。
すなわち、バッテリ情報記憶装置２から受け取った「バッテリ診断装置３による前回の診断結果」のデータである「良好」、「要注意」あるいは「要交換」の何れかを表示装置５３に１０秒間表示する。
【００９０】
診断結果の表示が終了すると、次ぎに、バッテリ情報記憶装置２から受け取った「充電時間からの推定容量」のデータに基づいて、バッテリ１の推定容量を表示装置に表示する（ステップ＃８６）。
この表示装置５３への表示態様は、バッテリ１の定格容量を１００％として、２０％ずつ５段階に均等分割し、「充電時間からの算出容量」のデータがどの段階に属するかをバーグラフにて表示する。
このために、制御部５２は、上記表１におけるバッテリの種類と定格容量との関係を示すデータテーブルを記憶保持している。
このバッテリ１の推定容量の表示も他の表示項目と同様に１０秒間行う。
以上のステップ＃８１〜＃８６の処理を、バッテリ情報表示装置５への給電が停止されるまで繰り返す。
以上から、制御部５２及び表示装置５３は、バッテリ情報記憶装置２の記憶部ＭＥに記憶されているバッテリ診断装置３による診断結果やバッテリ充電装置４により求めたバッテリ１の算出容量のデータを表示装置側通信部ＤＣを経て受取り、受け取った情報を表示する表示部ＤＵとして機能する。
【００９１】
〔別実施形態〕
以下、本発明の別実施形態を列記する。
（１）上記実施の形態では、バッテリ情報記憶装置２をバッテリ１の筐体に埋め込む形でバッテリ１に搭載しているが、バッテリ１の筐体とは独立してバッテリ１の近くに配置するようにしても良い。
（２）上記実施の形態では、バッテリ情報表示装置５はシガーソケット７から動作用の電力の供給を受け、且つ、シガーソケット７を経てバッテリ情報記憶装置２との通信を行っているが、シガーソケット７以外の他のアクセサリ電源に接続して、同様の処理を行うように構成しても良い。
【符号の説明】
【００９２】
１ａ，１ｂ  端子
１          バッテリ
ＭＥ        記憶部
２          バッテリ情報記憶装置
ＢＣ        バッテリ側通信部
ＭＵ        測定部
ＣＵ        バッテリ側診断部
ＴＣ        診断装置側通信部
ＴＵ        診断処理部
ＣＣ        充電装置側通信部
ＪＵ        充電部
ＤＣ        表示装置側通信部
ＤＵ        表示部
【図１】
2011075458.tif 000007
【図２】
2011075458.tif 000008
【図３】
2011075458.tif 000009
【図４】
2011075458.tif 000010
【図５】
2011075458.tif 000011
【図６】
2011075458.tif 000012
【図７】
2011075458.tif 000013
【図８】
2011075458.tif 000014
【図９】
2011075458.tif 000015
【図１０】
2011075458.tif 000016
【図１１】
2011075458.tif 000017
【図１２】
2011075458.tif 000018
【図１３】
2011075458.tif 000019
【図１４】
2011075458.tif 000020
【図１５】
2011075458.tif 000021